(57)【要約】本発明はセルラ電話のような電子通信機器においてメッセージを準備する方法及び機器に関するものである。その機器は、ユーザにより選択されるメッセージタイプ（２０，２２，２４，２６）の項目のセットを提供するメッセージタイプ選択ユニット（１４）と、そのユーザによるメッセージタイプ選択を可能にする第１のユーザ入力ユニット（３２）と、ユーザにより選択されるメッセージタイプ（２０，２２，２４，２６）の項目のセットを提供し、前記ユーザ入力ユニット（３２）を介してユーザによるメッセージ選択を検出し、そのユーザによりなされた選択に依存して伝送フォーマットを変更するよう構成された制御ユニット（４０）とを有する。このようにして、例えば、伝送のための最終的なメッセージタイプを決定するに先立ってメッセージが準備し保存される。
2007509547.tif 000002
【特許請求の範囲】
【請求項１】
電子通信機器においてメッセージを準備する方法であって、
全てのメッセージタイプ（２０，２２，２４，２６）に共通なエディタでユーザにより選択されるメッセージタイプのセットを提供する工程（ステップ１００）と、
ユーザによるメッセージタイプ選択を検出する工程（ステップ１０２、１０６）と、
前記ユーザによりなされた前記選択に依存して伝送フォーマットを変更する工程（ステップ１０８）とを有し、
メッセージの伝送或いは保存のための最終的なメッセージタイプを決定することに先立ち、メッセージを準備し保存することを特徴とする方法。
【請求項２】
前記選択されたメッセージタイプ（２０，２２，２４，２６）に対応するフォーマットで、通常は情報表示ユニット（１４）に前記メッセージを表示する工程（ステップ１１０）をさらに有することを特徴とする請求項１に記載の方法。
【請求項３】
第１のユーザ入力ユニット（３２）によりアクチュエートされ（ステップ１０２）、第１の方向と反対の第２の方向とにスクロールする（ステップ１０４）ことが可能になり、
アクチュエーション（ステップ１０２）による前記選択の検出（ステップ１０６）と前記第１のユーザ入力ユニット（３２）での１つの方向についての確定（ステップ１０６）によりメッセージタイプの選択を提供し、
前記選択の検出により前記ユーザによりなされた前記選択に依存して前記伝送フォーマットの変更がなされる（ステップ１０８）ことを特徴とする請求項１に記載の方法。
【請求項４】
メッセージを保存する工程（ステップ１１０）をさらに有することを特徴とする請求項１乃至３のいずれかに記載の方法。
【請求項５】
前記保存する工程（ステップ１１０）は汎用フォーマットで実行されることを特徴とする請求項４に記載の方法。
【請求項６】
電子通信機器においてメッセージを準備する機器であって、
ユーザにより選択されるメッセージタイプ（２０，２２，２４，２６，２８）のセットを提供するメッセージタイプ選択ユニット（１４）と、
前記ユーザによるメッセージタイプ選択を可能にする第１のユーザ入力ユニット（３２）と、
全てのメッセージタイプに共通なフォーマットをもつエディタでユーザにより選択されるメッセージタイプ（２０，２２，２４，２６）の項目のセットを提供し、
前記第１のユーザ入力ユニット（３２）を介してユーザによるメッセージ選択を検出し、
前記ユーザによりなされた前記選択に依存して伝送フォーマットを変更するよう構成され、メッセージの伝送或いは保存のための最終的なメッセージタイプを決定するのに先立ちメッセージを準備し保存する制御ユニット（４０）とを有することを特徴とする機器。
【請求項７】
前記第１のユーザ入力ユニット（３２）によりアクチュエートされ、第１の方向と反対の第２の方向とにスクロールすることが可能になり、
第２のユーザ入力ユニット（３４）は選択を確定するために構成され、
前記第１のユーザ入力ユニット（３２）のアクチュエーションによる項目（２０，２２，２４，２６）に対する１つの方向についての選択の検出と前記第２のユーザ入力ユニット（３４）による確定とによりメッセージタイプ（２０，２２，２４，２６）の選択を提供し、
前記選択の検出により前記ユーザによりなされた前記選択に依存して前記伝送フォーマット（２０，２２，２４，２６）の変更がなされることを特徴とする請求項６に記載の機器。
【請求項８】
前記制御ユニット（４０）は前記ユーザによりなされた前記選択に依存して情報表示ユニット（１４）上の見かけを変更するように構成されていることを特徴とする請求項６又は７に記載の機器。
【請求項９】
ユーザにより選択可能なメッセージを格納する格納部（３０）をさらに有し、
前記制御ユニット（４０）はさらに、汎用フォーマットで前記格納部（３０）にメッセージを保存するように構成されていることを特徴とする請求項６乃至８のいずれかに記載の機器。
【請求項１０】
前記制御ユニット（４０）は前記格納部（３０）に前記メッセージを自動的に格納するよう構成されていることを特徴とする請求項９に記載の機器。
【請求項１１】
前記制御ユニット（４０）は前もって定義されたウェブアドレスに前記メッセージをアップロードするよう構成されていることを特徴とする請求項６乃至１０のいずれかに記載の機器。
【請求項１２】
前記制御ユニット（４０）は前もって定義されたウェブアドレスに自動ログインで前記メッセージをアップロードするよう構成されていることを特徴とする請求項１１に記載の機器。
【請求項１３】
前記制御ユニット（４０）は前もって定義されたウェブアドレスに自動ログインなしで前記メッセージをアップロードするよう構成されていることを特徴とする請求項１１に記載の機器。
【請求項１４】
ユーザが前記選択されたフォーマットだけで編集を続行できるように、無意味なツールが選択可能とならないように構成されていることを特徴とする請求項６乃至１３のいずれかに記載の機器。
【請求項１５】
前記機器（１０）は携帯型電子通信機器であることを特徴とする請求項６乃至１４のいずれかに記載の機器。
【請求項１６】
前記機器（１０）はセルラ電話、ＰＤＡ、或いはスマート電話であることを特徴とする請求項１５に記載の機器。
【発明の詳細な説明】
【技術分野】
【０００１】
本発明は携帯型電子機器におけるメッセージハンドリングの分野に関するものである。
【背景技術】
【０００２】
今日のセルラ電話のような携帯型電子機器は、ますます異なったタイプのメッセージを送信することができるようになっており、それらメッセージタイプ各々はそれ自身の特徴をもっている。メッセージタイプの例は、例えば、ＳＭＳテキストメッセージ、ＥＭＳ図形情報、音声や写真を含むＭＭＳマルチメディアメッセージ、添付ファイルのある或いは添付ファイルのない電子メールやウェブサイトのメッセージを保存したブログのような“コンピュータ関連”メッセージである。
【０００３】
今日のセルラ電話では、ユーザがメッセージを準備するとき、エディタが用いられてそのメッセージを準備する。そのメッセージの準備を始める前に、まずユーザはどのタイプのメッセージを準備するのかを、例えば、ＳＭＳを準備するのかを決定しなければならず、これにより、正しいエディタが選択される。そのとき、ユーザはそのタイプのメッセージとその制限を含む対応する特徴とに制限されることになる。例えば、もし、ＳＭＳが準備されたなら、それは通常、それを電子メールへと変換することやその逆変換をすることはできない。これはもちろん不利益がある。なぜなら、そのユーザはメッセージを最終的にどんなタイプのメッセージにするのかを、そのメッセージを準備する前或いはその準備時点でさえも知らないかもしれないからである。その人は、だれがその受信者となるのかさえも知らないかもしれない。さらに別の不利益は、そのユーザはその最終的なフォーマットを知る前にそのメッセージを保存することはできないことである。
【０００４】
例えば、特許文献１は１つのフォーマットから別のフォーマットへ、例えば、ＳＭＳからＭＭＳへメッセージを変換する解決方法を記載している。特許文献１ではコンピュータワークステーションについて記載している。
【特許文献１】国際公開第０２／０９６０４６号パンフレット
【発明の開示】
【発明が解決しようとする課題】
【０００５】
しかしながら、全ての解決方法の共通点は、その変換がシステム側で集中的に実行され、携帯型電子機器それ自身では実行されないことである。
【０００６】
従って、例えば、携帯型電子機器に設けられた従来のエディタにより、メッセージを準備し保存することに関する今日の技術にはいくつかの不利益な点が残っている。
【０００７】
従って、最終的にどんなタイプのメッセージになるのかを決定するに先立ち、ユーザがメッセージを作成し保存することができる備えが必要である。特に、シンプルな方法でユーザにより完全に制御される携帯型電子機器用のエディタを提供する必要がある。このエディタは、伝送（或いは保存）のための最終的なメッセージタイプを決定する前にメッセージを準備・保存する備えを提供する。
【０００８】
発明の要約
従って、本発明は、伝送のための最終的なメッセージタイプを決定する前にメッセージが準備され保存されるような簡単なやり方でユーザにより完全に制御される携帯型電子機器用のエディタを提供することに関するものである。
【０００９】
このことは、全てのメッセージタイプに共通のエディタを提供し、ユーザによるメッセージタイプ選択を検出し、ユーザによりなされた選択に依存してディスプレイ上での見かけと伝送フォーマットとを変更することにより達成される。そのエディタは携帯型電子機器に備えられる。
【００１０】
本発明の１つの目的は、ユーザは伝送のための最終的なメッセージタイプを決定するに先立ち、携帯型電子機器でメッセージを準備し保存することができる方法を提供することにある。
【課題を解決するための手段】
【００１１】
本発明を第１の側面から見ると、この目的は電子通信機器においてメッセージを準備する方法により達成され、その方法は、全てのメッセージタイプに共通なエディタでユーザにより選択されるメッセージタイプのセットを提供する工程と、ユーザによるメッセージタイプ選択を検出する工程と、前記ユーザによりなされた前記選択に依存して伝送フォーマットを変更する工程とを有している。
【００１２】
本発明の第２の側面は、第１の側面の特徴を含む方法に関したもので、さらに、前記選択されたメッセージタイプに対応するフォーマットで、通常は情報表示ユニットに前記メッセージを表示する工程をさらに有することである。
【００１３】
本発明の第３の側面は、第１の側面の特徴を含む方法に向けられたもので、第１のユーザ入力ユニットによりアクチュエートされ、第１の方向と反対の第２の方向とにスクロールすることが可能になり、アクチュエーションによる前記選択の検出と前記第１のユーザ入力ユニットでの１つの方向についての確定によりメッセージタイプの選択を提供し、前記選択の検出により前記ユーザによりなされた前記選択に依存して見かけと伝送フォーマットの変更がなされることである。
【００１４】
本発明の第４の側面は、第１の側面の特徴を含む方法に向けられたもので、保存する工程を有することであり、好ましくはそれが自動的に実行されると良い。
【００１５】
本発明の第５の側面は、第４の側面の特徴を含む方法に向けられたもので、前記保存する工程は汎用フォーマットで実行されることである。
【００１６】
本発明の別の目的は、伝送用の最終的なメッセージタイプを決定するに先立ち、メッセージを準備或いは保存することの少なくともいずれかをユーザに行わせる携帯型電子機器を提供することにある。
【００１７】
本発明の第６の側面から見ると、この目的は携帯型電子機器においてメッセージを準備する機器により達成され、その機器は、ユーザにより選択されるメッセージタイプの項目のセットを提供するメッセージタイプ選択ユニットと、ユーザによるメッセージタイプ選択を可能にするユーザ入力ユニットと、全てのメッセージタイプに共通なフォーマットをもつエディタでユーザにより選択されるメッセージタイプのセットを提供し、前記ユーザ入力ユニットを介してユーザによるメッセージ選択を検出し、前記ユーザによりなされた前記選択に依存して伝送フォーマットを変更するよう構成された制御ユニットとを有する。
【００１８】
本発明の第７の側面は、第６の側面の特徴を含む機器に向けられたもので、第１のユーザ入力ユニットによりアクチュエートされ、第１の方向と反対の第２の方向とにスクロールすることが可能になり、第２のユーザ入力ユニットは選択を確定するために構成され、第１のユーザ入力ユニットのアクチュエーションによる項目に対する１つの方向についての選択の検出と第２のユーザ入力ユニットによる確定とによりメッセージタイプの選択を提供し、その選択の検出によユーザによりなされた選択に依存して伝送フォーマットの変更がなされることである。
【００１９】
本発明の第８の側面は、第７の側面の特徴を含む機器に向けられたもので、前記制御ユニットは、ユーザによりなされた選択に依存して情報表示ユニット上の見かけを変更するように構成されていることである。
【００２０】
本発明の第９の側面は、第６と第７の側面のいずれかの特徴を含む機器に向けられたもので、メッセージ格納部をさらに有し、制御ユニットはさらに、共通エディタに存在する情報に基づいて、そのメッセージ格納部にメッセージを保存するように構成されていることである。
【００２１】
本発明の第１０の側面は、第６から第９の側面のいずれかの特徴を含む機器に向けられたもので、制御ユニットは前記メッセージを自動的に汎用フォーマットで格納するよう構成されていることである。
【００２２】
本発明の第１１の側面は、第６から第１０の側面のいずれかの特徴を含む機器に向けられたもので、制御ユニットは前もって定義されたウェブアドレスにメッセージをアップロードするよう構成されていることである。
【００２３】
本発明の第１２の側面は、第６から第１０の側面のいずれかの特徴を含む機器に向けられたもので、制御ユニットは前もって定義されたウェブアドレスに自動ログインでメッセージをアップロードするよう構成されていることである。
【００２４】
本発明の第１３の側面は、第６から第１０の側面のいずれかの特徴を含む機器に向けられたもので、制御ユニットは前もって定義されたウェブアドレスに自動ログインなしでメッセージをアップロードするよう構成されていることである。
【００２５】
本発明の第１４の側面は、第６から第１０の側面のいずれかの特徴を含む機器に向けられたもので、ユーザが選択されたフォーマットだけで編集を続行できるように、無意味なツールが選択可能とならないように構成されていることである。
【００２６】
本発明の第１５の側面は、第６から第１０の側面のいずれかの特徴を含む機器に向けられたもので、第１のユーザ入力ユニットは、前記機器のメニューシステムには通常、ナビゲーション用に用いられる少なくとも１つの機器ボタンとして備えられることである。
【００２７】
本発明の第１６の側面は、第６から第１５の側面のいずれかの特徴を含む機器に向けられたもので、その機器は電子通信機器であることである。
【００２８】
本発明の第１７の側面は、第６から第１６の側面のいずれかの特徴を含む機器に向けられたもので、その機器はセルラ電話、ＰＤＡ、或いはスマート電話であることである。
【００２９】
本発明には多くの利点がある。本発明の第１から第１５の側面によれば、ユーザはメッセージやノートメモや他のテキストを全く同じエディタを用いて作成することができる。このことは、ユーザが考え編集する際に、そのユーザに完全な自由を与えるものとなる。その人はそのメッセージを最終的に送信するまで自分の行動を制限する必要はない。本発明はさらに、全てのメッセージタイプに共通のフォーマットでメッセージを保存する備えがあるという利点がある。
【００３０】
本発明はまた非常に安価に実現することができる。なぜなら、その機器に既に備えられているユーザ入力選択ユニットを用いて実現でき、共通のエディタ機能／一時的に利用不可能な機能は、そのエディタと既存のメッセージソフトウェアとの内、少なくともいずれかに加えていくつかの余分なソフトウェアにより提供されるからである。
【００３１】
なお、この明細書において用いられている“有する／有している”という用語は述べられた特徴、数値、工程（ステップ）、或いは構成要素が存在することを具体的に述べるために用いられているのであり、１つ以上の他の特徴、数値、工程、構成要素、或いは、そのグループを存在や付加を排除するものではない。
【発明を実施するための最良の形態】
【００３２】
次に、本発明は添付図面を関係させながらより詳細に説明する。
【００３３】
本発明が実施される携帯型電子機器が図１に示されており、ここでは携帯型電子機器の正面図が示されている。好ましくは、その携帯型電子機器は、ネットワークを介して他のユーザと通信を行うためのアンテナ（不図示）、ディスプレイの形をした情報表示ユニット１４とを有しているセルラ電話１０であると良く、そのディスプレイには全てのメッセージタイプに共通のエディタにおいてユーザにより選択されるメッセージタイプ２０、２２、２４、２６の項目のセットが表示される。セルラ電話１０はさらに、ここではナビゲーションキーの形をしており、メニューをスクロールアップしたりスクロールダウンして項目を高輝度表示する第１のユーザ入力ユニット３２と、選択された項目２０、２２、２４、２６を確定する第２のユーザ入力ユニット３４とを含むキーパッド３０を有している。ナビゲーションキー３２と確定キー３４とその機能とはそれ自体知られたものであり、それ故に、ここではこれ以上説明はしない。選択された項目２０、２２、２４、２６の確定が何らかの方法でなされるなら、第１と第２のユーザ入力ユニット３２、３４はまた、第１のユーザ入力ユニット３２に結合されていても良い。その代わりに、或いは、それに加えて、第１のユーザ入力ユニット３２はボリュームボタン３３に備えられていても良い。ボリュームボタン３３は上方とそれとは反対の下方にアクチュエートされる。このことは図面のこれらの方向を指している矢によって示されている。
【００３４】
第１のユーザ入力ユニット３２により（両端が矢先になっている矢により図示されている）第１の方向とそれとは反対の第２の方向へのアクチュエーションが可能になり、また、その方向へのスクロールが可能になる。ここで、（図２に示されている）制御ユニットは、第１の入力ユニット３２のアクチュエーションにより選択項目２０、２２、２４、２６への選択を（通常は、これらを高輝度表示することにことにより）検出し、例えば、キーパッド３０のキーを押下することにより、第２の入力ユニット３４によりその選択を確定し、これにより、本来知られているようにスイッチ（不図示）をアクティベートする。その入力ユニットはまた、それ自体は知られているようなタッチスクリーンの形で備えられても良い。
【００３５】
電話をかけたり受信することとは別に、キーパッド３０はテキストのようなメッセージ情報を入力し、従来の機能やアプリケーションを選択するために用いられる。それらの機能やアプリケーションは通常、ナビゲーションキー３２により選択され、そのキーは電話１０に備えられたメニューシステムを介して上方に下方にナビゲーションを行うために用いられる。メニューシステムでは項目のセットがリスト形式で提供される。図１では項目２０、２２、２４、２６のそのようなリスト１９が示されている。リスト１９はここではメッセージタイプのリストである。図１では、そのリストが、ＳＭＳ用の第１の項目２０、電子メール用の第２の項目２２、ブログ用の第３の項目２４をもつように示されている。完全には見えていないが、第４の項目２６の一部も例示のために示されている。
【００３６】
リスト１９は１０ほどのメッセージタイプ（或いはそれ以上）を含むことができ、通常は少なくとも次のものを含んでいる。即ち、テキストメッセージ用のＳＭＳ、図形メッセージ用ＥＭＳ、写真を含むマルチメディア用のＭＭＳ、添付ファイルのついた或いはついていない電子メールのようなコンピュータ関連メッセージ、ウェブサイトにメッセージを格納するブログ、そして、最低限の標準に準拠した縮小型のＭＭＳである。
【００３７】
図２は本発明に関係する電話１０の異なる部分のブロック図を示している。ディスプレイ１４、第１のユーザ入力ユニット３２、第２のユーザ入力ユニット３４はここで、別々のボックスとして示され、これらは制御ユニット４０に接続されている。制御ユニット４０はさらに格納部４２に接続されている。
【００３８】
制御ユニット４０は通常、適切なソフトウェアコードを含む対応したプログラムメモリとともに１つ以上のプロセッサの形で備えられる。格納部４２は好ましくは、例えば、半導体メモリのようなそれ自体知られたメモリの形で備えられると良い。
【００３９】
次に、本発明の好適な実施例について、図１〜図３を参照して説明する。
【００４０】
エディタで、或いは、全てのメッセージタイプに共通な一時的に利用不可能な機能を選択した後に（それ自体知られたやり方でメッセージを準備する編集モードが既に選択されていると仮定するなら）、電話のメニューシステムの項目リストの選択時に、ステップ１００では、制御ユニット４０は項目２０、２２、２４、２６のリストを取り出し、それをディスプレイ１４に呈示する。その後、制御ユニット４０は第１の入力ユニット、この場合にはナビゲーションキー３２を介してユーザからの入力による選択を待ち合わせる。もし、ナビゲーションキー３２がアクチュエート或いは押下げされないなら、ステップ１０２で制御ユニット４０は待機を続ける。しかしながら、ナビゲーションキー３２がアクチュエートされるならステップ１０４に進み、制御ユニット４０はステップ１０４でそのリストをスクロールする。このスクロールはナビゲーションキー３２がアクチュエート或いは押下げされている限り実行される。
【００４１】
ナビゲーションキー３２により、図１の２つの方向を指している矢により示唆されるように、上方向と下方向にナビゲートすることができる。このことは、もし、キー３２の下側部分が押下されたなら下方向へのスクローリングがなされ、一方、上側部分が押下されたなら上方向へのスクローリングがなされることを意味する。
【００４２】
ステップ１０６で、第２の入力ユニット３４、通常は第２のキーがアクチュエートされていないなら、制御ユニット４０はステップ１０２に戻り、ナビゲーションキー３２の監視を続ける。その方法は、ユーザがリスト１９の項目２０、２２、２４、２６を選択しない限り続行する。
【００４３】
例えば、ユーザが第２のユーザ入力ユニット３４、即ち、第２のキーをそれ自体知られた方法で押すことにより選択を確定することにより項目２０、２２、２４、２４の内の１つが選択されたなら、ステップ１０８で、メッセージタイプの選択が検出され、伝送フォーマットがユーザによりなされた選択に依存して変更される。その選択が、それ以降、通常メニューから選択可能な無意味なツールをそれ自体は知られた方法でグレー色にするために用いられても良い。
【００４４】
通常、メッセージは、ステップ１１０で、制御ユニット４０により格納部４２に汎用フォーマットで自動的に、例えば、送信される時点まで格納される。もちろん、ユーザが別のフォーマットに変更したり、或いはより可能性の高いオプションをもつ別の受信者を追加することを望むこともよくあるかもしれない。
【００４５】
好ましくは、メッセージが送信されたときでさえも、どのようにしてそれが送信されたのを示すデータ項目とともに汎用フォーマットで保存することがより望ましい。ユーザもまた送信後、より高級なフォーマットでメッセージを受信できる別のユーザを追加したいと願うかもしれない。
【００４６】
本発明には多くの利点がある。本発明の全ての実施例に共通なことは、メッセージ準備がシステムにより集中的に実行されるのではなく、携帯型電子機器それ自体で実行される点にある。これによりユーザは全てのタイプのメッセージに対して、さもなければもつことはなかった共通のエディタを用いることができる。
【００４７】
また、本発明は非常に安価に実施できる。スクロール速度制御機能をナビゲーションキーに備えることにより、その電話には何の付加的なボタンやキーを備える必要はなく、そのメッセージバリエーション機能は既存のスクロールソフトウェアに加えて、なにかの特別なソフトウェアにより提供される。
【００４８】
本発明は多くの方法で変更可能である。説明したキーは、１つのキーやボタンが２つの方向を示すために用いられる種類のキーであった。もちろん、この機能をその代わりに２つの別々なキーやボタンで提供することも可能である。さらに、ナビゲーションキーついては、ただ上方と下方とだけにナビゲーションを提供することに関連して説明した。当然のことであるが、横方向にナビゲーションを提供することも可能である。本発明に従うスクロール制御は、横方向へのスクロールも実行できることを理解されたい。本発明はもちろん、これらのタイプのボタンやキーにより決して限定されるものではなく、機器上に備えられる如何なるキーでも用いられる。
【００４９】
本発明をセルラ電話との関係で説明した。しかし、セルラ電話は本発明が実施される機器の一例に過ぎない。例えば、本発明はＰＤＡ（情報携帯端末）、パームトップコンピュータ、ラップトップコンピュータ、通常のＰＣでも用いられる。それ故に、本発明は添付の請求の範囲によってのみ限定される。
【図面の簡単な説明】
【００５０】
【図１】セルラ電話の形をした携帯型電子機器の前面を示す図である。
【図２】図１を示す電話の内部の内、本発明の実施例に従う関係部分を示すブロック図である。
【図３】本発明の実施例に従う方法を示すフローチャートである。
【図１】
2007509547.tif 000003
【図２】
2007509547.tif 000004
【図３】
2007509547.tif 000005
【国際調査報告】
2007509547.tif 000006
2007509547.tif 000007
2007509547.tif 000008